(57)【要約】【課題】相手方となる横架材へＩ型ビームを取付けたとき、ビーム端部の浮き上がりや床鳴りを防止できるＩ型ビーム取付け金物の提供。【解決手段】取付け金物４において、Ｉ型ビーム１の端部を挟んで固定する一対の縦壁８に、Ｉ型ビーム１の下フランジ材６の内側面に係合する係止爪１３を一対の縦壁間である内側へと突出させて形成し、外側方向へ弾性変形可能とする。【選択図】図２
0003126276.tif 000002
【実用新案登録請求の範囲】
【請求項１】
上下のフランジ材をウエブ材で結合して断面がＩ字形を呈するＩ形ビームの端部を横架材に固定するための金物であって、一対の対面させた縦壁と、両縦壁の下端を結合した受壁と、それぞれの縦壁の前記横架材側に、縦壁から外側へほぼ直角に屈曲して一体に形成された取付け壁、及び取付け壁の上部から横架材側へほぼ直角に屈曲して一体に形成された水平な掛け壁とを備え、受け壁を除いてそれぞれの壁に釘孔が形成されていると共に、一対の縦壁にＩ型ビームの下方フランジの内側面に係合する係止爪を一対の縦壁間である内側へと突出させ、かつ、それぞれの係止爪は外側方向へ弾性変形可能に設けてあることを特徴としたＩ型ビーム取付け金物。
【請求項２】
係止爪は、縦壁に上方が開放されたコ字形の切込みを入れて形成した舌片からなり、舌片は内側へくの字形に屈曲させることによって、上端が縦壁につながった斜片と、斜片の下端につながり外側へ屈曲された水平片とを有するものであり、水平片の先端が前記の切込みで形成された窓を通過可能に配置されていることを特徴とした請求項１に記載のＩ型ビーム取付け金物。
【考案の詳細な説明】
【技術分野】
【０００１】
この考案は、Ｉ形ビームの端部を横架材に固定するための金物に関する。
【背景技術】
【０００２】
上下のフランジ材をウエブ材で結合して断面がＩ字形を呈するＩ形ビームは、軽量で断面２次モーメントが高いことから梁や根太として利用される（特許文献１，２）。Ｉ型ビームの端部を相手方の横架材に取り付けるときは、その構造から仕口によって取付けることはなく、金物が用いられる。
一方、この種の金物として梁受け金物や根太受け金物はよく知られている（特許文献３〜６）。これらの金物は、相手方横架材に固定される部分と梁や根太の端部を受けとめる部分（受け壁）及び端部を両側から挟みこむ部分（一対の縦壁）を備え、釘打ち（ビス止め、ねじ止めを含む）によって梁や根太と金物とを固定することにより、相手方横架材に対する突き当て位置を維持するとともに、梁や根太が横に倒れてしまう“ころび”を防止する構造となっている。
【０００３】
【特許文献１】特開平８−１５８５３７号公報
【特許文献２】特開平９−１００５８４号公報
【特許文献３】特開平１０−８８６６８号公報
【特許文献４】特開２００５−１８８２１３号公報
【特許文献５】特開平１０−１８３８３５号公報
【特許文献６】特開平７−２２９２２５号公報
【考案の開示】
【考案が解決しようとする課題】
【０００４】
横架材に対するＩ型ビームの取付けも同様であって、突き当て位置を確保すると共にころびを防止できる構造でなくてはならない。しかし、従来の梁受け金物や根太受け金物そのままでは、Ｉ型ビームが上下にフランジ材があって中間のウエブ材箇所が凹所となる構造であるために、金物の縦壁と梁や根太とを充分に固定できない。
このため、Ｉ型ビームの中央部に荷重が作用してたわんだとき両端部が持ち上がり易く、釘やねじの緩みあるいは、きしみなど床鳴りの原因となっていた。
この考案は、従来の梁受け金物や根太受け金物と同様に施工でき、縦壁の中間部からＩ型ビームへの釘打ちが充分でなくても、ビーム端部の浮き上がりや床鳴りを防止できるＩ型ビーム取付け金物の提供を課題とする。
【課題を解決するための手段】
【０００５】
Ｉ型ビームを取付けるための金物を；
一対の対面させた縦壁と、両縦壁の下端を結合した受壁と、それぞれの縦壁の前記横架材側に、縦壁から外側へほぼ直角に屈曲して一体に形成された取付け壁と、取付け壁の上部から横架材側へほぼ直角に屈曲して一体に形成された水平な掛け壁と、
を備えた構成とする。
受け壁を除くそれぞれの壁に釘孔を形成すると共に、一対の縦壁にＩ型ビームの下方フランジの内側面に係合する係止爪を一対の縦壁間である内側へと突出させて形成し、外側方向へ弾性変形可能とする。
【考案の効果】
【０００６】
Ｉ型ビーム取付け金物にＩ型ビームを上方から嵌め込むと、Ｉ型ビームの端部は取り付け金物の受け壁に支持されると同時に、下方フランジ材の内側面に縦壁の係止爪が係合するので、相手方である横架材との突当て位置を確認して取り付け金物を横架材及びＩ型ビームへ釘打ちすれば、Ｉ型ビームは簡単に突当て位置が確保されると共に“ころび”が防止される。
また、下方フランジ材の内面に係合した係止爪によってＩ型ビーム端部の浮き上がりが抑止されるので床鳴りが防止される。
【実施例】
【０００７】
図１は、Ｉ型ビーム１を床構造の根太として利用した例である。Ｉ型ビーム１は、基礎コンクリート２の頂面に固定された土台３の内側面に沿って、取付け金物４（Ｉ型ビーム取付け金物）を用いて一定間隔で取り付けられている。
Ｉ型ビーム１は、上下のフランジ材５，６をウエブ材７で結合したものであり、長手方向に対する横断形状がＩ字形となる。
【０００８】
Ｉ型ビーム取付け金物４は、図２，３に示すように、一対の縦壁８（８ａ，８ｂ）、これら縦壁８の下端を結合した受け壁９、縦壁８の横架材側Ａに縦壁８とほぼ直交する方向で外側へ一体に形成された取付け壁１０（１０ａ，１０ｂ）及び取付け壁１０の上端から横架材側Ａにほぼ直交して一体に形成された掛け壁１１（１１ａ，１１ｂ）とで構成される。
【０００９】
前記各壁のうち、受け壁９を除く縦壁８、取付け壁１０及び掛け壁１１にそれぞれ釘孔１２が形成されると共に、縦壁８は下部に係止爪１３（１３ａ，１３ｂ）を有している。
これらの各部は図３の展開図のように、一枚の型抜きした鋼板（厚さ１．２ｍｍ）をプレスで順次に折り曲げて形成する。係止爪１３はプレスによる折り曲げ作業の前に形成しておく。
【００１０】
すなわち、縦壁８となる箇所に、型抜きと同時に上方が開放されたコ字形の切込みを入れて舌片１４（１４ａ，１４ｂ）を形成しておき、これを内側（一対の縦壁８が折り曲げられて対面したとき、その縦壁８ａ，８ｂ間となる側）へくの字形に屈曲させることによって（図４）、上端が縦壁８につながった斜片１５と、斜片１５の下端につながり外側へ屈曲された水平片１６とを有する構造とする。水平片１６の先端は前記の切込みで形成された窓１７を通過可能に配置されている（図２）。
なお、係止爪１３は、受け壁９の上面から、Ｉ型ビーム１の下フランジ材６の高さｈ(図６)に相当する箇所に水平片１６が位置するように配置される。
【００１１】
Ｉ型ビーム１を根太として土台３に取り付けるときは、Ｉ型ビーム取付け金物４を、その掛け壁１１を土台３の上面に係合して位置決めし、掛け壁１１及び取付け壁１０を土台３に釘打ち固定する。次いで、一対の縦壁８間にＩ型ビーム１の端部を嵌め込み、下フランジ材６を受け壁９に支持させると同時に、下フランジ材６の内面に係止爪１３の水平片１６を係合させる（図５，６）。係止爪１３は、Ｉ型ビーム１が上方から押し込まれるとき、下フランジ材６に押されて外方向に移動するが、下フランジ材６の通過と共にほぼ元位置へ弾性復帰し、下フランジ材６の内側面に係合する。
そして、縦壁８の外側からＩ型ビーム１の上フランジ材５、下フランジ材６に釘打ちしてＩ型ビーム１と取り付け金物４とを固定し、又、係止爪１３と下フランジ材６との係合を確実なものとする。
【００１２】
これを繰り返してＩ型ビーム１の両端を土台３に固定し、根太と完成する。この構成によれば、Ｉ型ビーム１の両端は釘打ちと共に係止爪１３によって上方への移動が抑止されているので、釘の緩みや床鳴りが防止される。
以上、実施例について説明した。係止爪１３は斜片１５と水平片１６を備えたく字形のものとしたが、その形態は限定されず、取付けられたＩ型ビーム１の端部が上方へ移動するのを抑止できる構造であればよい。
施工手順は実施例のものに限定されない。取付け金物４を先にＩ型ビーム１の端部に取り付けておいてから、取付け金物４を土台３に掛け、固定してもよい。
【図面の簡単な説明】
【００１３】
【図１】根太端部の取付け状態を示した斜視図。
【図２】Ｉ型ビーム取付け金物の斜視図。
【図３】Ｉ型ビーム取付け金物の展開図。
【図４】Ｉ型ビーム取付け金物の正面図（一部断面）。
【図５】取付け手順１を示す図。
【図６】取付け手順２を示す図。
【符号の説明】
【００１４】
１  Ｉ型ビーム
２  基礎コンクリート
３  土台
４  Ｉ型ビーム取付け金物
５  上フランジ材
６  下フランジ材
７  ウエブ材
８（８ａ，８ｂ）  縦壁
９  受け壁
１０（１０ａ，１０ｂ）  取付け壁
１１（１１ａ，１１ｂ）  掛け壁
１２  釘孔
１３（１３ａ，１３ｂ）  係止爪
１４（１４ａ，１４ｂ）  舌片
１５  斜片
１６  水平片
１７  窓
【図１】
0003126276.tif 000003
【図２】
0003126276.tif 000004
【図３】
0003126276.tif 000005
【図４】
0003126276.tif 000006
【図５】
0003126276.tif 000007
【図６】
0003126276.tif 000008